(57)【要約】      （修正有）【課題】エアゾール容器のバルブ機構の簡素化を図る。【解決手段】マウンテンカップ１８の貫通孔１９に、上端に鍔部１１を有し伸縮自在の弾性体からなるバルブ１０が配置される。バルブ１０の周壁部には孔部が形成され、鍔部11がマウンテンカップ１８の貫通孔１９の上端周縁部２１と適合し、バルブ１０の下端外周部１０ｓが前記下向き延長部２０の下端縁部２０ｓと適合する。バルブ１０の底面部１０ｂには操作部１５内の内容液流通路１６の入口部１７が当接し、この入口部１７には切欠部を有する。操作部１５を下方に移行すると、バルブ１０が下方に伸長し、バルブ１０の下端外周部１０ｓがマウンテンカップ１８の下向き延長部２０の下端縁部と離脱して間隙が生じ、内容液がバルブ１０の孔部を通過し、操作部１５の入口部１７の切欠部を通過し、操作部1５の内容液流通路１６内へと流入し、当該流通路１６の出口部である噴口３２から外界に噴霧される。【選択図】図１
2019001534.tif 000002
【特許請求の範囲】
【請求項１】
エアゾール容器の上端マウンテンカップ(18)の略中央部の貫通孔(19)に設けられるバルブ(10)とこのバルブ(10)を操作する操作部(15)とからなるバルブ機構であって、
前記貫通孔(19)の内周縁部が下方に延長する下向き延長部(20)を有し、この下向き延長部(20)に容器内の内容液が流通する通路となるチューブ(25)が連結され、
前記貫通孔(19)の上端周縁部(21)及び下向き延長部(20)に前記バルブ(10)が配設され、
当該バルブ(10)は、上端部外周縁に鍔部(11)を有する有底筒体形状を有し、
前記鍔部(11)の下方の周壁部(12)には、複数の孔部(13)が形成され、
前記バルブ(10)上端の鍔部(11)が前記マウンテンカップ(18)の貫通孔(19)の上端周縁部(21)と適合し、且つ、前記バルブ(10)の下端外周部(10s)が前記貫通孔(19)の下向き延長部(20)の下端縁部(20s)と適合し、
前記バルブ(10)の底面部には、前記操作部(15)内の内容液流通路(16)の入口部(17)が当接し、この入口部(17)は略筒体形状を有してその下端縁部にはその長手方向に延長する少なくとも１つの切欠部(17k)が形成され、
更に、上記バルブ(10)を伸縮自在の弾性体によって形成することにより、
操作部(15)を下方に移行することにより、前記操作部(15)の入口部(17)が前記バルブ(10)の底面部(10b)を押し下げ、前記バルブ(10)が下方に伸長し、前記バルブ(10)の下端外周部(10s)が前記マウンテンカップ(18)の貫通孔(19)の下向き延長部(20)の下端縁部(20s)と離脱して間隙が生じ、これにより容器内の内容液が前記チューブ(25)からバルブ(10)の孔部(13)を通過し、前記操作部(15)の入口部(17)の切欠部(17k)を通過して操作部(15)の内容液流通路(16)内へと流入し、当該流通路(16)の出口部である噴口(32)から内容液が外界に噴霧されることを特徴とするエアゾール容器のバルブ機構。
【請求項２】
前記バルブ(10)の鍔部(11)の下方の周壁部(12)に環状の溝部を形成したことを特徴とする請求項１に記載のエアゾール容器のバルブ機構。
【請求項３】
前記バルブ(10)の鍔部(11)の下方の周壁部(12)に、周方向同一間隔に４本の孔部(13)をその長手方向に設けたことを特徴とする請求項１又は２に記載のエアゾール容器のバルブ機構。
【請求項４】
前記バルブ(10)がポリエステル若しくはウレタンの複合体、ゴム、エラストマー、又は、軟質プラスチックから成ることを特徴とする請求項１乃至３の何れか１項に記載のエアゾール容器のバルブ機構。
【請求項５】
前記操作部(15)が押下ボタンからなることを特徴とする請求項１乃至４の何れか１項に記載のエアゾール容器のバルブ機構。
【請求項６】
前記操作部(15)がトリガー式操作部からなることを特徴とする請求項１乃至４の何れか１項に記載のエアゾール容器のバルブ機構。
【発明の詳細な説明】
【技術分野】
【０００１】
本発明は、エアゾール容器の上端マウンテンカップの略中央部の貫通孔部分に設けられるバルブ機構に関するものである。
【背景技術】
【０００２】
従来のエアゾール容器用バルブとしては、下記特許文献に記載のものを挙げることができる。
下記特許文献１に記載のものは、エアゾール製品の内部溶液として主として水を使用したものに関するものである。
【０００３】
このように水を主としたものの場合はアルコールの場合のように内部溶液中にガスが溶けにくいため噴霧状態にすることが難しいという問題があり、この問題を解決することがこの考案の目的であった。
【０００４】
上記目的を解決するために、この考案では、バルブ構造体内の混合室でガスと液体とを混合させることによって泡状にし、バルブ内の流路を通って噴出口から大気中に噴霧状態で噴出しうるようにしたものである。
【０００５】
下記特許文献２に記載のエアゾール容器用バルブにおいては、使用後や不使用時において、ステムを所定方向に強く付勢して、噴射用通路を確実に閉塞できるようにすることを目的とする。
【０００６】
その構成は、ステムの下方部分で、ステムを収容する室部分の底面部にはテ−パ面を形成し、他方、ステムが噴射位置（下方位置）に移動するとき、前記テ−パ面に案内されて変形する複数の突出片をステムの下端部分に形成する。また、前記突出片が変形するときの押圧力により弾性変形する弾性部材を設け、この弾性部材の弾性変形したあとの復帰力により、前記突出片が前記テ−パ面を押圧してステムを非噴射位置（上方位置）に戻すように構成した。
【０００７】
下記特許文献３に記載のエアゾール容器用バルブにおいても、使用後や不使用時において、ステムを非噴射位置の方に強く付勢して、噴射用通路を確実に閉塞できるようにすることを目的とする。
【０００８】
その構成は、ステムの下方部分、およびステムを収容する室部分の少なくとも一方に突出部を形成し、非弾性の基部と、基部から突出した弾性片とからなるステム復帰用部材を、弾性片が突出部に当接した状態で室部分に設け、ステムが噴射位置に移動した際の突出部を介した押圧力によって弾性変形する弾性片の、その後の復帰力により、ステムを非噴射位置に戻すようにしたものである。
【先行技術文献】
【特許文献】
【０００９】
【特許文献１】実開平５−１９１７３号公報
【特許文献２】実開平５−１９１７４号公報
【特許文献３】実開平５−２２３８２号公報
【発明の概要】
【発明が解決しようとする課題】
【００１０】
上記した通り、従来のエアゾール容器用バルブとしては、バルブハウジング内に弾性体を配設してその内部で上下に往復動するバルブステムを上方に付勢する構成を採用したものである。
更に、この弾性体としてコイルスプリングを使用したり、ハウジング内に定量室を設けたものも存在している。
【００１１】
本発明においては、上記従来例のような構造と異なるもの、従来のものよりもより簡易な構成を採用したものを提供することをその課題としている。
その際に、バルブ自体の材質を選択して、その伸縮性のあるものを利用して当該バルブの構造を極めて簡易なものとすることをその課題とした。
【課題を解決するための手段】
【００１２】
上記課題を解決するために、本発明の第１のものは、エアゾール容器の上端マウンテンカップの略中央部の貫通孔に設けられるバルブとこのバルブを操作する操作部とからなるバルブ機構であって、前記貫通孔の内周縁部が下方に延長する下向き延長部を有し、この下向き延長部に容器内の内容液が流通する通路となるチューブが連結され、前記貫通孔の上端周縁部及び下向き延長部に前記バルブが配設され、当該バルブは、上端部外周縁に鍔部を有する有底筒体形状を有し、前記鍔部の下方の周壁部には、複数の孔部が形成され、前記バルブ上端の鍔部が前記マウンテンカップの貫通孔の上端周縁部と適合し、且つ、  前記バルブの下端外周部が前記貫通孔の下向き延長部の下端縁部と適合し、前記バルブの底面部には、前記操作部内の内容液流通路の入口部が当接し、この入口部は略筒体形状を有してその下端縁部にはその長手方向に延長する少なくとも１つの切欠部が形成され、更に、上記バルブを伸縮自在の弾性体によって形成することにより、操作部を下方に移行することにより、前記操作部の入口部が前記バルブの底面部を押し下げ、前記バルブが下方に伸長し、前記バルブの下端外周部が前記マウンテンカップの貫通孔の下向き延長部の下端縁部と離脱して間隙が生じ、これにより容器内の内容液が前記チューブからバルブの孔部を通過し、前記操作部の入口部の切欠部を通過して操作部の内容液流通路内へと流入し、当該流通路の出口部である噴口から内容液が外界に噴霧されることを特徴とするエアゾール容器のバルブ機構である。
【００１３】
本発明の第２のものは、上記第１の発明において、前記バルブの鍔部の下方の周壁部に環状の溝部を形成したことを特徴とするエアゾール容器のバルブ機構である。
【００１４】
本発明の第３のものは、上記第１又は第２の発明において、前記バルブの鍔部の下方の周壁部に、周方向同一間隔に４本の孔部をその長手方向に設けたことを特徴とするエアゾール容器のバルブ機構である。
【００１５】
本発明の第４のものは、上記第１乃至第３の何れかの発明において、前記バルブがポリエステル若しくはウレタンの複合体、ゴム、エラストマー、又は、軟質プラスチックから成ることを特徴とするエアゾール容器のバルブ機構である。
【００１６】
本発明の第５のものは、上記第１又は第４の何れかの発明において、前記操作部が押下ボタンからなることを特徴とするエアゾール容器のバルブ機構である。
【００１７】
本発明の第６のものは、上記第１又は第４の何れかの発明において、前記操作部がトリガー式操作部からなることを特徴とするエアゾール容器のバルブ機構である。
【発明の効果】
【００１８】
本発明の第１のものにおいては、バルブ自体を伸縮自在の材質から形成し、この内部に操作部内の内容液流通路の入口部が嵌入し、当該入口部の先端部がバルブの底面部に当接しているために、この入口部を下方に押下することにより、バルブ自体が伸長するのである。
【００１９】
バルブが下方に伸長すると、バルブの下端外周部も下方に伸長し、これによりバルブの下端外周部がエアゾール容器のマウンテンカップの略中央部の貫通孔の下向き延長部の下端縁部と離脱して隙間が生じることとなる。
【００２０】
この隙間からエアゾール容器内の内容液が流入し、バルブの上端部外周縁に設けられた鍔部の下方の周壁部に設けられた孔部を通過し、前記操作部の入口部の下端縁部に設けた切欠部を通過して操作部の内容液流通路内に流入し、その後内容液流通路の出口部である噴口から外界に噴霧されることとなるのである。
【００２１】
このように本発明においては、エアゾール容器の上端のマウンテンカップの略中央の貫通孔の形態と上端に鍔部を有する伸縮自在の有底筒体形状のバルブと操作部の内容液流通路の入口部の構造によってそのバルブ機構が構成され、これらの共働によってバルブ機能が発揮され、そのバルブ構造を極めて簡易な構造によって実現することができた。
【００２２】
本発明の第２のものにおいては、上記第１の発明において、前記バルブの鍔部の下方の周壁部に環状の溝部を形成したことを特徴とする。バルブの伸縮性能と耐久性能より向上させるためである。
【００２３】
本発明の第３のものにおいては、上記の発明において、前記バルブの鍔部の下方の周壁部に、周方向同一間隔に４本の孔部をその長手方向に設けたことを特徴とする。
前記孔部の構成をより限定したものであり、その数とその位置を特定した。
【００２４】
本発明の第４のものにおいては、上記の発明において、バルブの材質を特定したものであり、その材料としてポリエステル若しくはウレタンの複合体、ゴム、エラストマー、又は、軟質プラスチックから成ることを特定したものである。
【００２５】
本発明の第５のものにおいては、操作部が具体的に押下ボタンであることを明確にし、特定したものである。
【００２６】
本発明の第６のものにおいては、操作部が具体的にトリガー形式の操作部であることを明確にし、特定したものである。
【図面の簡単な説明】
【００２７】
【図１】本発明のエアゾール容器のバルブ機構に係る一実施形態の縦断面説明図であって、非噴霧時又は不使用時を示す。
【図２】上記実施形態に係るバルブ部分の斜視説明図である。
【発明を実施するための形態】
【００２８】
以下、添付の図面と共に本発明の一実施形態について説明する。
図１は、本発明のエアゾール容器のバルブ機構に係る一実施形態の縦断面説明図であって、非噴霧時又は不使用時を示す。
図２は、上記実施形態に係るバルブ部分の斜視説明図である。
【００２９】
上記図１では、エアゾール容器の図示は省略しており、そのエアゾール容器の上端のマウンテンカップの部分とバルブと操作部を図示している。
【００３０】
本発明に係るバルブ機構は、バルブ１０と、操作部１５内の内容液流通路１６の入口部１７と、エアゾール容器（図示省略）の上端部に設けられたマウンテンカップ１８の略中央部の貫通孔１９の部分の構造から構成される。
【００３１】
上記操作部１５は、この実施形態では押下ボタンからなる。
上記バルブ１０は、その上端部外周縁に鍔部１１を有する有底筒体形状を有し、その材質はポリエステル若しくはウレタンの複合体、ゴム、エラストマー、又は、軟質プラスチックから成る。
或いは、ポリブチレンテレフタレート（ＰＢＴ）を用いてもよい。
【００３２】
エアゾール容器上端部のマウンテンカップ１８の略中央部には貫通孔１９が設けられ、この貫通孔１９の内周縁部には、下向きに延長する下向き延長部２０が設けられ、この貫通孔１９の上端周縁部２１と上記下向き延長部２０の部分に上記バルブ１０が配設される。
【００３３】
即ち、上記バルブ１０は、その上端外周部に鍔部１１が設けられ、その下方の周壁部１２には孔部１３が周方向に同一間隔に４つ設けられている。
このバルブ１０の下端部１４は、上記周壁部１２よりもその外径を大きく形成し、エアゾール容器のマウンテンカップ１８の下向き延長部２０の下端縁部２０ｓと気密に適合する。
【００３４】
他方、バルブ１０の上端の鍔部１１の下面及び鍔部１１の下方の周壁部１２ｕの部分は、マウンテンカップ１８の貫通孔１９の上端周縁部２１と気密に接合し適合している。
このバルブ１０の底面部１０ｂは、閉鎖状態であり、この底面部１０ｂに操作部１５の内容液流通路１６の入口部１７が当接している。
【００３５】
操作部１５は、上記した通り、押下ボタンから成り、上方部が小径の略筒体形状を有し、その底面略中央部に内容液流通路１６の入口部１７が位置し、前記内容液流通路１６は、上方に延長する縦方向流通路１６ｔとその上端部から横方向に折曲する横方向流通路１６ｙとから成り、その出口部には噴口チップ３０が嵌合し、噴口チップ３０の略中央部に噴口３２が形成されている。
【００３６】
上記操作部１５の内容液流通路１６の入口部１７には、切欠部１７ｋが周方向同一間隔に４本設けられている。
以上の構成により、本発明に係るバルブ機構の動作は以下の通りとなる。
【００３７】
図１の状態は、不使用状態で、非噴霧状態である。
この図１の状態において、押下ボタンからなる操作部１５を手指により押下する。
操作部１５が下方に押下されると、その内容液流通路１６の入口部１７がバルブ１０の底面部１０ｂを押下する。
【００３８】
すると、バルブ１０は、伸縮自在の素材から形成されているため、その壁面部１２が伸長する。
壁面部１２が伸長すると、バルブの底面部１０ｂも下方に移行する。
その底面部１０ｂが下方に移行すると、そのバルブ１０の下端周縁部１０ｓがマウンテンカップ１８の貫通孔１９の下向き延長部２０の下端縁部２０ｓから離脱する。
【００３９】
バルブ１０の下端周縁部１０ｓがマウンテンカップ１８の貫通孔１９の下向き延長部２０の下端縁部２０ｓから離脱すると、両者の間に間隙が生じる。
上記下向き延長部２０には、エアゾール容器内の内容液が流入するいわゆるディップチューブと呼ばれるチューブ２５が接続しており、上記間隙からエアゾール容器内の内容液がバルブ１０の周壁部１２へと流入する。
【００４０】
バルブ１０の周壁部１２には複数の孔部１３が設けられているため、内容液は更にこれらの孔部１３からバルブ１０内に流入する。
上記操作部１５の内容液流通路１６の入口部１７の下端縁部には複数の切欠部１７が設けられているために、この切欠部１７から内容液は上記内容液流通路１６内に流入し、この内容液流通路１６の出口部である噴口３２から外界に内容液が噴霧されることとなるのである。
【００４１】
以上、本発明の一実施形態について説明したが、本発明においては以下の通り各種設計変更することができる
【００４２】
エアゾール容器のマウンテンカップは金属製であり、操作部は硬質の合成樹脂製であり、バルブは上記した通りの伸縮自在の弾性体から成るが、このバルブの素材は伸縮性のあるその他の合成樹脂を用いてもよい。
【００４３】
各構成部材のサイズも適宜必要に応じて設定することができる。
操作部は、上記実施形態とは異なるトリガー式のものを採用することができる。
トリガー式操作部というのは、トリガーレバーを手指によって引き寄せることにより、トリガー部の枢着部で回動して、操作部内の内容液流通路の入口部が上記バルブの底面部を押下できる構造のものである。
要するに、操作部の内容液流通路の入口部がバルブの底面部を押し下げることができる構造のものであれば上記のトリガー形式の操作部でもよいこととなる。
【００４４】
バルブの周壁部には、環状の溝部を設けてその伸縮性能を高めることができる。
バルブの周壁部に設ける孔部は、上記実施形態では４個設けたが、その数は自由に設定することができ、最低、その対向する位置（周方向同一間隔）に２つ設けてあればよい。
【００４５】
孔部の長手方向長さも自由であり、操作部の内容液流通路の入口部に設けた切欠部の長手方向長さも自由に設定することができる。
この切欠部の方は少なくとも１個設けられていればよく、必要に応じてその数を設定することができる。
【００４６】
以上、本発明においては、そのバルブの素材を伸縮自在の合成樹脂を用いたことにより、極めて簡易な構成からなるエアゾール容器のバルブ機構を創案することができたものである。
【符号の説明】
【００４７】
１０  バルブ
１０ｂ  底面部（バルブの）
１０ｓ  下端外周部（バルブの）
１１  鍔部（バルブの）
１２  周壁部（バルブの）
１３  孔部（バルブの）
１５  操作部
１６  内容液流通路（操作部の）
１６ｔ  縦方向流通路
１６ｙ  横方向流通路
１７  入口部（内容液流通路１６の）
１７ｋ  切欠部
１８  マウンテンカップ
１９  貫通孔（マウンテンカップ１８の）
２０  下向き延長部（マウンテンカップ１８の）
２０ｓ  下端縁部（下向き延長部２０の）
２１  上端周縁部（貫通孔１９の）
３０  噴口チップ
３２  噴口
【図１】
2019001534.tif 000003
【図２】
2019001534.tif 000004